(57)【要約】【課題】構造が簡単で安定した内容物の注出が行えるエアレスキャップを提供する。【解決手段】エアレスキャップ１は、内容物が注出される注出口１１を具備した本体１０と、本体１０の内部に取り付けられ、収容体の内部空間から注出口１１に至る流路２４が設けられた中栓２０と、略平坦状で弾性変形可能であり、中栓２０を本体１０に取り付けた際に本体と中栓との間に介在されて固定状態となる弁体５０とを有する。中栓は、弁体５０の中央領域を弾性変形させて密着状態を維持する傾斜面２２ａを備えた圧接部２２を有しており、弁体５０には、傾斜面に対する密着状態で傾斜面の中央領域を露出させる開口５３が形成されている。中栓と弁体は、収容体に押圧力が作用した際、傾斜面２２ａから弁体５０を離間させて流路２４を開放すると共に、収容体に作用する押圧力が解除された際、弁体５０が傾斜面２２ａに密着して流路を閉塞する注出弁を構成する。【選択図】  図２
2020093833.tif 000002
【特許請求の範囲】
【請求項１】
内容物を収容する変形可能な収容体に装着され、前記収容体に作用する押圧力によって内容物が注出される際、内容物の注出を許容し、外気の流入を阻止するエアレスキャップであって、
前記エアレスキャップは、内容物が注出される注出口を具備した本体と、前記本体の内部に取り付けられ、前記収容体の内部空間から注出口に至る流路が設けられた中栓と、略平坦状で弾性変形可能であり、前記中栓を本体に取り付けた際に前記本体と中栓との間に介在されて固定状態となる弁体と、を有し、
前記中栓は、前記本体に取り付けられた状態で、前記弁体の中央領域を弾性変形させて密着状態を維持する傾斜面を備えた圧接部を有しており、
前記弁体には、前記傾斜面に対する密着状態で傾斜面の中央領域を露出させる開口が形成されており、
前記中栓と弁体は、前記収容体に押圧力が作用した際、前記傾斜面から弁体を離間させて前記流路を開放すると共に、前記収容体に作用する押圧力が解除された際、前記弁体が傾斜面に密着して流路を閉塞する注出弁を構成している、ことを特徴とするエアレスキャップ。
【請求項２】
前記圧接部は、前記注出口に向けて膨出することで前記傾斜面を形成すると共に、前記中栓の中央部に一体的に保持されて、その周囲に前記流路が形成されている、ことを特徴とする請求項１に記載のエアレスキャップ。
【請求項３】
前記弁体には、前記傾斜面に対する密着状態で傾斜面を露出させる複数の開口が形成されている、ことを特徴とする請求項１又は２に記載のエアレスキャップ。
【請求項４】
前記弁体は、前記流路を塞ぐ領域に、内容物が収容された前記収容体に押圧力が作用した際には、前記注出口の方向に膨出すると共に、前記収容体に作用する押圧力が解除された際には、前記収容体側に反転して前記流路に入り込むことが可能な反転部を備えることを特徴とする請求項１から３のいずれか１項に記載のエアレスキャップ。
【請求項５】
前記弁体の反転部は、弁体の他の部位に比べて肉厚が薄い薄肉領域を備えることを特徴とする請求項４に記載のエアレスキャップ。
【請求項６】
前記中栓の傾斜面は、前記流路を塞ぐ領域で前記弁体の反転部が反転して流路に入り込んだ際の弁体の形状に沿うように形成されていることを特徴とする請求項４又は５に記載のエアレスキャップ。
【請求項７】
前記弁体と中栓は、前記弁体と中栓を一体化する嵌合構造を備えており、弁体と中栓を一体化した状態で前記本体に取り付け可能である、ことを特徴とする請求項１から６のいずれか１項に記載のエアレスキャップ。
【請求項８】
前記弁体は、エラストマー、又は、弾性プラスチック材によって一体成形されていることを特徴とする請求項１から７のいずれか１項に記載のエアレスキャップ。
【請求項９】
前記本体の一部には、外気が流入可能な吸気口が形成されており、
前記弁体の外端部の一部には、前記本体の吸気口を弾性的に閉塞して、外気の流入を許容すると共に排出を制限する吸気弁が突出形成されている、ことを特徴とする請求項１から８のいずれか１項に記載のエアレスキャップ。
【請求項１０】
前記本体と中栓には、前記中栓を本体に取り付けた際、前記弁体の吸気弁が前記吸気口に位置決めされる位置決め構造が設けられている、ことを特徴とする請求項９に記載のエアレスキャップ。
【請求項１１】
請求項９又は請求項１０に記載されたエアレスキャップが装着可能な容器であり、
前記内容物を収容する収容体を構成する内側体と、前記内側体を囲繞するように成形された外側体と、前記内側体と外側体との間に空気の流入を許容する外気流入路と、を有し、
前記エアレスキャップは、前記外側体に形成された口部に固定され、
前記エアレスキャップが前記外側体の口部に固定された状態で、前記吸気弁及び外気流入路を介して外気が内側体と外側体との間に流入可能である、ことを特徴とする容器。
【請求項１２】
請求項１から請求項１１のいずれか１項に記載されたエアレスキャップが装着可能な容器であり、
前記エアレスキャップの本体は、断面略楕円形状の溶着部を備えた溶着体に一体形成された口部に固定され、
前記溶着部に、周囲が溶着されたプラスチック製のフィルムシートが溶着されている、ことを特徴とする容器。
【発明の詳細な説明】
【技術分野】
【０００１】
本発明は、内容物を収容する容器に装着され、内容物を注出する際に外気の流入を阻止する機能を備えたエアレスキャップ、及び、そのようなエアレスキャップが装着されたエアレスキャップ付き容器に関する。
【背景技術】
【０００２】
従来、日用品分野、食品分野、医療分野、化学分野等では、化粧液や飲料物、薬品、インクやオイル等（以下、これらを内容物と総称する）を収容する容器が知られており、収容される内容物には、時間の経過とともに徐々に品質が劣化するもの、更には、液状、半液状、微細粒子物を分散含有した液状のもの等、様々なものがある。品質が劣化する原因としては、外気との接触による酸化が挙げられるため、容器に装着されて内容物を注出するキャップには、内容物の注出を許容し、外気が流入しない構成が求められている。また、前記容器には、パウチパックのような減容変形する単体容器や、内部に減容変形する内側体、外部に原形復帰可能（スクイーズ性がある）な外側体を配した二重成形容器などが存在している。
【０００３】
前記二重成形容器は、外側体を押圧することで内側体に圧力を加えて内容物を注出することができ、外側体は押圧力を解除すると原形復帰し、内側体はそのまま変形した状態（減容変形した状態）が維持される。このような二重成形容器に装着されて外気（空気）を流入させないキャップとして、例えば、特許文献１，２に開示されているように、外側体と内側体との間に外気の流入を許容する逆止弁（吸気弁）を配設すると共に、内側体に設けられた注出口部分に、内容物の外部への通過のみを許容する逆止弁（注出弁）を配設したものが知られている。
【先行技術文献】
【特許文献】
【０００４】
【特許文献１】特開２００６−１１１３３５号
【特許文献２】実用新案登録第３１９４６６１号
【発明の概要】
【発明が解決しようとする課題】
【０００５】
上記した従来の二重成形容器は、吸気弁と注出弁が異なる位置に配設されており、それぞれが逆止弁構造を備えているため、容器自体の構造が複雑となって、製造コストが高くなってしまう。すなわち、吸気弁と注出弁に関しては、同じ位置に設置して、それぞれ逆止弁としての機能を発揮できる構造にすることで、容器自体の構造が簡易になり、容器のコストを低減することが可能と考えられる。
【０００６】
また、そのような吸気弁機能と注出弁機能を兼ね備えたキャップについては、できるだけ構造を簡略化して、組み付けが容易に行なえることが望ましく、さらに内容物の注出を許容し、外気が流入しない構成の注出弁機能を備えたキャップ（以下、エアレスキャップと称する）は、二重成形された容器に限られず、パウチパックのような単一容器の注出口部分にも適用可能な構造になっていることが望ましい。
このようなエアレスキャップは、最近では、微小繊維質の材料や微粒状のものを分散含有した内容物を収容した容器に取り付けられることがあり、このような内容物であっても、外気の流入を確実に防止して安定した内容物の注出が可能な逆止弁構造となっていることが望ましい。
【０００７】
本発明は、上記した問題に着目してなされたものであり、構造が簡単で組み付けが容易に行なえると共に、安定した内容物の注出が行え、内容物注出中に空気が容器内に流入しないエアレスキャップ及びエアレスキャップ付き容器を提供することを目的とする。
【課題を解決するための手段】
【０００８】
上記した目的を達成するために、本発明に係るエアレスキャップは、内容物を収容する変形可能な収容体に装着され、前記収容体に作用する押圧力によって内容物が注出される際、内容物の注出は許容し、外気は流入しないよう構成されており、前記エアレスキャップは、内容物が注出される注出口を具備した本体と、前記本体の内部に取り付けられ、前記収容体の内部空間から注出口に至る流路が設けられた中栓と、略平坦状で弾性変形可能であり、前記中栓を本体に取り付けた際に前記本体と中栓との間に介在されて固定状態となる弁体と、を有し、前記中栓は、前記本体に取り付けられた状態で、前記弁体の中央領域を弾性変形させて密着状態を維持する傾斜面を備えた圧接部を有しており、前記弁体には、前記傾斜面に対する密着状態で傾斜面の中央領域を露出させる開口が形成されており、前記中栓と弁体は、前記収容体に押圧力が作用した際、前記傾斜面から弁体を離間させて前記流路を開放すると共に、前記収容体に作用する押圧力が解除された際、前記弁体が傾斜面に密着して流路を閉塞する注出弁を構成している、ことを特徴とする。
【０００９】
上記した構造のエアレスキャップは、注出口を具備した本体と、前記本体の内部に取り付けられる中栓と、略平坦状で弾性変形可能であり、前記中栓を本体に取り付けた際に前記本体と中栓との間に介在されて固定状態となる弁体の三部品で構成されている。前記弁体は、本体と中栓との間に介在される略平坦状の弾性部材であるため、弁体としての構造が簡略化され、前記中栓は、収容体の内部空間から注出口に至る流路と、弁体を密着させる傾斜面を備えた圧接部を有する構造であるため、構造も簡略化されて、本体、中栓、弁体の組み付けが容易に行なえるようになる。また、注出弁を構成する弾性変形可能な弁体の中央領域を、中栓の圧接部の傾斜面に密着させ、収容体に押圧力が作用した際、弾性部材を傾斜面から離間させて開口を介して内容物の注出状態とし、収容体に作用する押圧力が解除された際、前記弁体を傾斜面に密着して流路を閉塞することから、内容物中に微小粒子物が分散していても、密封時に微小粒子物による外気逆流の流路形成を阻止する効果が大きく密閉性が優れ、逆止弁構造も簡素化されてコストの低減が可能となる。
【００１０】
上記したエアレスキャップは、内容物を収容する内側体と、内側体を囲繞するように成形され、内側体との間で空気の流入を許容する外気流入路が形成される外側体と、を有する二重成形された容器、或いは、周囲が溶着されたプラスチック製のフィルムシートで構成される容器（パウチパック）に装着することが可能である。この場合、前者の二重成形容器では、注出口の近傍に吸気口を形成しておき、この吸気口を閉塞するように、前記略平坦状の弁体の一部に吸気弁を形成するだけで良い。
【発明の効果】
【００１１】
本発明によれば、構造が簡単で組み付けが容易に行なえると共に、安定した内容物の注出が行え、外気の流入が阻止されるエアレスキャップ及びエアレスキャップ付き容器が得られる。
【図面の簡単な説明】
【００１２】
【図１】本発明に係るエアレスキャップ、及び、容器の第１の実施形態を示す図。
【図２】図１に示す容器に装着されたエアレスキャップの構成を示す図であり、（ａ）は平面図、（ｂ）は側面図、（ｃ）はＡ−Ａ線に沿った断面図。
【図３】図２（ａ）のＢ−Ｂ線に沿った断面図。
【図４】図２（ａ）のＣ−Ｃ線に沿った断面図。
【図５】エアレスキャップを構成する弁体を示す図であり、（ａ）は平面図、（ｂ）はＤ−Ｄ線に沿った断面図、（ｃ）は側面図。
【図６】エアレスキャップを構成する中栓を示す図であり、（ａ）は平面図、（ｂ）はＥ−Ｅ線に沿った断面図、（ｃ）は側面図。
【図７】中栓に弁体を組み付けた状態を示す図であり、（ａ）は平面図、（ｂ）はＦ−Ｆ線に沿った断面図、（ｃ）は側面図。
【図８】図２（ｃ）に示すエアレスキャップの拡大断面図。
【図９】エアレスキャップの第１の変形例を示す拡大断面図。
【図１０】エアレスキャップの第２の変形例を示す拡大断面図。
【図１１】エアレスキャップの第３の変形例を示す拡大断面図。
【図１２】エアレスキャップの第４の変形例を示す拡大断面図。
【図１３】（ａ）は図１２に示す弁体の構成を示す断面図、（ｂ）は弁体の変形例を示す断面図。
【図１４】本発明に係るエアレスキャップ、及び、容器の第２の実施形態を示す図。
【図１５】図１４に示す容器に装着されたエアレスキャップの構成を示す図であり、（ａ）は平面図、（ｂ）は側面図。
【図１６】図１４（ａ）のＧ−Ｇ線に沿った断面図。
【図１７】図１４（ａ）のＨ−Ｈ線に沿った断面図。
【発明を実施するための形態】
【００１３】
本発明に係るエアレスキャップは、二重成形された容器、或いは、プラスチック製のフィルムシートを重ね周囲が溶着された容器などに装着され、内容物を注出するに際して、外気が容器の収容部内に流入することのない機能を備えている。
以下、図面を参照しながら、本発明に係るエアレスキャップの実施形態、及び、エアレスキャップを取り付けた容器の実施形態について説明する。
【００１４】
図１から図８は、エアレスキャップの第１の実施形態、及び、容器の第１の実施形態を示す図である。
本実施形態の容器１００は、内側体１０１と外側体１０２を備えた二重成形容器として構成されており、内側体１０１に内容物が収容され、内側体１０１と外側体１０２との間に外気が導入される構造となっている。このような容器１００は、使用時において、外側体１０２の胴部を押圧すると、内側体１０１が減容変形して内容物が注出される。また、外側体１０２は、そのスクイーズ性によって原形復帰し、内側体１０１と外側体１０２との間には外気が導入されるため、内側体１０１は、減容変形した状態が維持される。
【００１５】
上記の二重成形された容器は公知であるため、その詳細な構造については省略するが、例えば、ポリオレフィン樹脂（ポリエチレン、ポリプロピレンなど）や、ポリエステル樹脂（ポリエチレンテレフタラートなど）をブロー成形することで製造することが可能である。本発明に用いられる二重成形容器は、その材料や形状、大きさ等の構成については限定されることはない。
【００１６】
上記した容器１００において、その注出口部分には、エアレスキャップ１が装着される。この実施形態のエアレスキャップ１は、内容物の注出時において、内側体１０１内に外気が流入することを防止する逆止弁（注出弁）を備えたエアレスキャップ構成、及び、内側体１０１と外側体１０２との間に外気の流入のみを許容する逆止弁（吸気弁）構成を備えている。
【００１７】
この場合、容器１００には、エアレスキャップ１が装着されるための装着構造、及び、内側体１０１と外側体１０２との間に外気を流入させるための外気流入路が設けられている。
本実施形態の容器は、内側体１０１の口部１０１ａが外側体１０２の口部１０２ａから僅かに突出しており、口部１０１ａの外周に沿って形成されたフランジ１０１ｂが、口部１０２ａの開口縁１０２ｂに当接して係止された状態となっている。そして、このような係止構造において、フランジ１０１ｂと開口縁１０２ｂとの間には、一定間隔をおいて周方向に沿った円弧状の切欠部１０５が形成されており、この切欠部１０５が外気流入路としての機能を果たしている（以下、外気流入路１０５とする）。この外気流入路１０５は、図２、図３、及び、図８に示されており、例えば、円周方向に沿って略９０°間隔で４箇所形成され、後述するエアレスキャップ１の吸気弁を介して、内側体１０１と外側体１０２との間に外気を流入させる機能を果たす。
【００１８】
また、外側体１０２の口部１０２ａの外周面には、雄螺子１０２ｃが形成されている。この雄螺子１０２ｃには、エアレスキャップ１の本体１０に形成された雌ネジ部１０ｃが螺合され、エアレスキャップ１は、容器１００に固定される。なお、エアレスキャップ１と容器１００の螺合関係は、容器使用後に容器とキャップを分別処理できるよう着脱できるような構造が好ましい。
【００１９】
次に、本実施形態のエアレスキャップ１の構成について説明する。
本実施形態のエアレスキャップ１は、内側体１０１に収容された内容物が注出される注出口１１を具備した本体１０と、本体１０の内部に取り付けられ、内側体の内部空間から注出口１１に至る流路２４が設けられた中栓２０と、略平坦状で弾性変形可能であり、中栓２０を本体１０に取り付けた際に本体１０と中栓２０との間に介在されて固定状態となる弁体５０と、を有している。
【００２０】
前記本体１０は、円周壁１０ａと天板１０ｂを備えた略キャップ状に形成されている。前記円周壁１０ａの内面には、前記外側体の口部１０２ａに形成された雄螺子１０２ｃと螺合する雌ネジ部１０ｃが形成されている。また、天板１０ｂの中央領域には、膨出部１０ｄが形成されており、その中央部に注出口１１が形成されている。この膨出部１０ｄの内側は、内容物を注出して容器に対する押圧力が解除された際、内容物が注出口１１の開口部分に留まることなく、内部に引き込まれて保持される空間Ｓを形成している（この空間Ｓには、内容物の注出を止めたとき、注出口付近の内容物が容器内方に引き戻された場合に内容物が保持される）。
【００２１】
前記天板１０ｂの一部には、吸気口（開口）１２が形成されている。この吸気口１２は、内側体１０１と外側体１０２との間に外気を流入させるためのものであり、前記内側体１０１の口部１０１ａの外周面と、本体１０の円周壁１０ａの内周面との間に形成される環状の隙間Ｓ１と連通している。すなわち、外気は、吸気口１２を介して隙間Ｓ１内に入り込み、更に、上記したフランジ１０１ｂと開口縁１０２ｂとの間に一定間隔をおいて周方向に沿って形成された外気流入路１０５を介して、内側体１０１と外側体１０２との間に流入可能となっている。
【００２２】
また、前記天板１０ｂの裏面には、径方向外側に、容器側に向けて突出する突起１４が形成されている。この突起１４は、中栓２０を本体１０に取り付ける際、後述する弁体５０の吸気弁５５が吸気口１２に位置決めできる位置決め構造を構成している。突起１４は、例えば、１８０°間隔で２箇所形成されており、各突起１４に対して９０°の位置に、前記吸気口１２が形成され、これにより、本体１０に対する中栓２０の正確な位置決め、及び組み付けを容易にしている。
【００２３】
次に、主に図６を参照して、中栓２０の構成について説明する。
中栓２０は、前記本体１０（天板１０ｂの裏面側）との間に、略平坦状で弾性変形可能な弁体５０を介在させて保持すると共に、容器内の内容物を注出口１１に案内して流出させる機能を有している。すなわち、本体１０との間に介在される弁体５０と協働して、内容物を、流路２４を介して注出口１１に流出させると共に、外気を容器内に流入させない逆止弁（注出弁）としての機能を発揮する。
【００２４】
中栓２０の基体２１は、円板状に形成されており、その一方の面には、前記内側体１０１の口部１０１ａに圧入される環状突起２１ａが形成されている。この環状突起２１ａの先端は、径方向内側に傾斜しており、口部１０１ａに圧入し易いように構成されている。なお、環状突起２１ａが口部１０１ａに圧入されると、両者の間には隙間が生じることはなく、外気が容器側に流入することはない。
【００２５】
また、前記基体２１には、弁体５０の中央領域を弾性変形させて密着状態を維持する傾斜面２２ａを備えた圧接部２２が一体的に形成されている。本実施形態の圧接部２２は、略円柱状に形成されており、基体２１の中央領域に形成された円形の開口２１ｂ内に、複数の連結部２２ｂを介して一体的に形成されている。連結部２２ｂは、例えば、９０°間隔で４箇所形成されており、これにより、圧接部２２は、中栓２０の中央部に一体的に保持され、その圧接部２２の周囲には、前記流路２４が形成される。
【００２６】
前記基体２１の圧接部２２ａの径方向外周面には、前記弁体５０が入り込んで保持される円形の凹所２５が形成されており、この凹所２５は、弁体５０の肉厚と同程度の深さを備えている。そして、前記圧接部２２は、弁体５０が凹所２５内に設置された状態で、その中央領域を弾性的に撓ませるように、凹所２５の底面２５ａよりも僅かに上方に突出している。すなわち、その突出する部分に、中央に向けて次第に高くなるように形成された傾斜面２２ａに対して、弁体５０の中央領域が弾性的に変形することで密着状態が維持され、内容物をシールした状態に維持している。なお、弁体５０の中央領域が弾性的に変形して密着状態となれば、凹所２５ａを設けない形状にしても良い。
【００２７】
本実施形態における前記傾斜面２２ａは、圧接部２２の表面で、ドーム状に膨出する形状となっており、周方向に亘って弁体５０の中央領域が隙間なく一様に密着するように構成されている。すなわち、圧接部２２が注出口１１に向けて膨出するように形成されることで、その傾斜面２２ａ全体に弁体５０が一様に密着することができ、内容物を注出口側に流出させないシール機能を発揮する。
【００２８】
また、凹所２５の底面２５ａには、環状の溝２５ｂが形成されている。この溝２５ｂは、弁体５０の外周面から垂下して突出形成される環状突起５１が嵌合する部分となっており、この嵌合構造によって、弁体５０は中栓２０に付勢されて一体化することができ、このようにユニット化された弁体５０と中栓２０は、本体１０に対して容易に組み込むことが可能となる。
【００２９】
前記基体２１の凹所２５よりも径方向外方のリング状の領域２７には、一方の面に内側体１０１の口部１０１ａの上端面が密着すると共に、他方の面に本体１０の天板１０ｂの裏面が密着する（図４参照）。この場合、リング状の領域２７には、径方向両側に一対の切欠き２７ａが形成されると共に、各切欠き２７ａに対して９０°の位置に切欠き２７ｂが形成されている。
前記一対の切欠き２７ａは、中栓２０を本体１０に組み付ける際、天板１０ｂの裏面に形成された前記突起１４と係合し、切欠き２７ｂは、天板１０ｂに形成された吸気口１２に位置付けられる。この切欠き２７ｂの位置には、後述する弁体５０に形成された吸気弁５５が位置付けされる。
【００３０】
以上のように構成される本体１０及び中栓２０は、それぞれ、ポリプロピレン、ポリエチレン樹脂等の合成樹脂を型成形することによって、それぞれワンピースとして一体形成することが可能である。
【００３１】
前記弁体５０は、図５に示すように、薄肉厚の略平坦状で、例えば、弾性プラスチック、シリコン、エラストマー等、弾性変形可能な材料で一体形成されている。弁体５０は略円形状に形成されており、一方の面には、前記中栓２０に形成された環状の溝２５ｂに嵌合する環状突起５１が形成されている。また、その中央領域には、前記圧接部２２の傾斜面２２ａに対する密着状態で、傾斜面２２ａの中央領域（頂部）を露出させる開口５３が形成されている。
【００３２】
前記内側体に押圧力が作用して内容物が流路２４を介して押し出し作用を受けた際、傾斜面２２ａに密着した弁体は、弾性密着力に抗して、密着領域（傾斜面２２ａと密着する領域）５４を傾斜面２２ａから離間させ、前記開口５３を介して内容物の注出を可能にする。すなわち、弁体５０の傾斜面２２ａに対する密着領域５４及び開口５３は、流路２４を介して内容物の流出を許容すると共に、容器に対する押圧力が解除された際、再び弾性力によって密着領域５４が傾斜面２２ａに密着し、外気の流入を阻止する（流路２４を閉塞する）逆止弁（注出弁）としての機能を発揮する。その際、内容物中の微小粒状物が傾斜面２２ａと弁体５０との間に挟まっても、弁体５０がその弾性によって押え包み込み、微小粒状物による隙間形成を抑制し、隙間を介しての外気の流入を防止することで外気流入阻止効果が高まる。
【００３３】
また、弁体５０の外周部の一部には、径方向に突出する突片が形成されている。この突片は、弁体５０が中栓２０に組み付けられた際、前記切欠き２７ｂに位置し、かつ、天板１０ｂに形成された吸気口１２に位置付けられて吸気弁５５を構成する。この吸気弁５５の先端は、図８に示すように、吸気口１２の近傍の天板１０ｂの裏面に当接しており、内側体１０１と外側体１０２の間の空間が負圧になった際、下方に弾性変形して隙間Ｓ１内に外気の流入を許容すると共に、流入した外気を外部に流出させない逆止弁として機能する。
【００３４】
上記した形状の弁体５０については、薄肉厚の略平坦状に構成されることから、インジェクション成型、プレス加工等によって一体形成することが可能であり、物性的には、硬度が３０〜８０度、伸縮率が５０〜８００％程度の材料を用いることが好ましい。厚みは使用材料の硬度、伸縮性、中栓傾斜角度等に応じて、適切に設定することが好ましい。
【００３５】
次に、上記したエアレスキャップ１の組立方法、及び、内容物注出時の動作について説明する。
まず、図５に示す弁体５０を図６に示す中栓２０に組み付ける（組付けた状態を図７に示す）。両部材の組み付けに際しては、吸気弁５５を中栓の切欠き２７ｂに位置合わせしつつ、弁体５０の環状突起５１を、中栓２０の凹所２５の底面２５ａに形成された環状の溝２５ｂに嵌合すれば良く、これにより、弁体５０は、中栓２０の凹所２５内に設置され、両者は一体化（ユニット化）される。
この状態で、弁体５０の中央の密着領域５４は、図８に拡大して示すように、圧接部２２の傾斜面２２ａに所定の弾性力で密着している。なお、弁体５０に形成される開口５３の径を変更することで、弁体５０の傾斜面２２ａに対する密着領域５４（密着幅Ｌ）を容易に変更することが可能であり、また、傾斜面２２ａの凹所２５の底面２５ａに対する傾斜角度αを変更することで、密着領域５４における密着力を容易に変更することが可能である。
【００３６】
そして、一体化された弁体５０及び中栓２０は、中栓２０の一対の切欠き２７ａを、天板１０ｂの裏面に形成された突起１４に係合させることで、吸気口１２には、弁体５０に形成された吸気弁５５が位置付けされる。
すなわち、上記した構成によれば、エアレスキャップ１の組立を容易に行なうことができる。
【００３７】
上記したように組み立てられたエアレスキャップ１は、容器１００の外側体１０２の口部１０２ａに螺合して固定される。この状態で、中栓２０の環状突起２１ａが内側体１０１の口部１０１ａに圧入され、弁体５０は、本体１０と中栓２０との間に介在して内側体の口部に位置付けされると共に、弁体５０に形成された吸気弁５５が吸気口１２に位置付けされる。
【００３８】
内側体１０１に収容された内容物は、弁体５０の中央領域が圧接部２２の傾斜面２２ａに所定の弾性力で密着しているため、外部に流出することはない。そして、外側体１０２に押圧力を加えると内側体１０１も押圧力を受け、内容物は、その押圧力によって、圧接部２２の周囲の流路２４を流れて弁体５０と傾斜面２２ａとの密着領域５４を開放し、弁体５０の中央に形成された開口５３を介して注出口１１から注出される。このとき、内側体１０１は、減容変形する（減容変形した分、内容物が注出される）。
【００３９】
外側体１０２に対する押圧力を解除すると、外側体１０２はスクイーズ性により原形復帰し、その分、外気を吸引しようとする（内側体１０１と外側体１０２の間は負圧になっており、外気を吸引しようとする）。外気は、吸気口１２を介して下側に弾性変形した吸気弁５５を介して、内側体１０１の口部１０１ａの外周面と、本体１０の円周壁１０ａの内面との間に形成される環状の隙間Ｓ１に入り込み、更に、外気流入路１０５を介して、内側体１０１と外側体１０２との間に流入し、負圧を解消する。この場合、内側体１０１と外側体１０２との間に流入した外気は、吸気弁５５が吸気口１２を閉塞するため、外部に流出することはなく、内側体１０１は、減容変形した状態が維持される。
【００４０】
また、外側体１０２に対する押圧力を解除すると、内側体１０１に対する押圧力も解除されるため、弁体５０の密着領域５４が傾斜面２２ａに密着して、外気の流入が阻止される（流路２４が閉塞される）。このとき、弁体５０の中栓２０の流路２４の上面を覆う部位の弁体厚みを中央部よりも薄肉とすることにより流路２４の密封や開放をスムーズに行わせることができ、さらに容器への押圧力を解除したときに内側体のわずかな形状復帰により内側体内部が僅かに負圧となり、流路を覆う部位の弁体が内側体の内方に引かれ内側に凹入変形し、注出口１１の開口部近傍の内容物が内方に引かれて空間Ｓに保持され、注出口１１の開口端付近に残存することが軽減される。
【００４１】
上記したエアレスキャップ１は、本体１０、中栓２０及び弁体５０の構造が簡単であり、これらの部材の組み付けが容易に行なえる。また、単に、中栓２０の圧接部２２の傾斜面２２ａの傾斜角度αや、弁体５０の開口５３の大きさ（密着幅Ｌ）、更には、弁体５０の肉厚、素材等を変更することで、液状、半液状、微細粒状物を分散含有した液状の内容物に応じて、確実に弁体５０が傾斜面２２ａに密着できる最適な構成を容易に提供することが可能となる。
【００４２】
なお、上記したように、圧接部２２の傾斜面の傾斜角度αや密着幅Ｌを変える以外にも、例えば、図９〜図１１に示すように構成することで、内容物に適した構成を容易に得ることが可能である。
【００４３】
図９に示す構成（第１の変形例）は、圧接部２２の頂部に、凸状部２２ｃを形成しており、弁体５０の開口部５３の周囲の内縁領域を変形させて凸状部２２ｃに沿って弾性変形させている。このような構成によれば、内容物の密閉性をより向上することが可能となる。
図１０に示す構成（第２の変形例）は、圧接部２２の頂部に、凹状部２２ｄを形成しており、弁体５０の開口部５３の周囲の内縁領域を変形させて凹状部２２ｄに沿って弾性変形させている。このような構成によれば、密閉性を向上させることができる。
図１１に示す構成（第３の変形例）は、弁体５０の中央部に開口を形成するのではなく、密着する傾斜面２２ａに対する密着領域５４に複数の開口５３ａを形成している。このような開口５３ａは、例えば、円周上に沿って複数個形成することが可能であり、その形成個数を減らしたり、密着幅Ｌの中央寄りに形成することで、シール性を高めることができる。
【００４４】
図１２及び図１３（ａ）は、第４の変形例を示す図である。
この変形例の弁体５０は、前記流路２４を塞ぐ領域に、内容物が収容された前記収容体に押圧力が作用した際、点線Ｂで示すように、前記注出口１１の方向に膨出すると共に、前記収容体に作用する押圧力が解除された際、実線Ａで示すように、前記収容体側に反転して流路２４に入り込むことが可能な反転変形部５８を備えている。
【００４５】
このような反転変形部５８は、図１３（ａ）に示すように、中央の開口５３の周囲を予め凹状に窪ませることで形成されており、弁体５０の形成時に一体形成することが可能である。
このような形状の弁体５０は、収容体に押圧力が作用していない状態では、凹状に窪んだ反転変形部５８が圧接部２２の周囲の流路２４に入り込んでおり、そこから径方向内側（密着領域５４）は、圧接部２２の傾斜面２２ａに圧接された状態となっている。この状態で、収容体に押圧力を作用させると、反転変形部５８の領域が流路２４側から押し上げるような押圧作用を受けて膨出変形し、これにより密着領域５４が傾斜面２２ａから離間して内容物が注出される。
【００４６】
そして、収容体に対する押圧力を解除すると、そのスクイーズ性によって、収容体の容積がわずかに元に戻ろうとし、弁体内側の内容物は収容体内方へ引かれ弁体５０は流路２４の内方へ引かれる。また、弁体５０は、反転変形部５８が元の形状に戻ろうとし、膨出した部分が再び流路２４に入り込もうとする。この凹状の形状に戻ろうとする形状変化によって、注出口１１から空間Ｓに至る部分が容量減少し、注出口１１の先端部から内容物が内方へ吸い込まれる（サックバック）ようになる。すなわち、収容体に対する押圧力を解除すると、弁体５０に、元に戻ろうとする復元力が作用し、その力が反転変形部５８を効果的に反転変形させて上記したサックバック効果を高める（内容物が注出口に留まらない）ことが可能となる。
【００４７】
上記した弁体５０の構成において、反転変形部５８は、図１３（ｂ）に示すように、弁体の他の部位に比べて肉厚が薄い薄肉領域５８ａを備えていることが好ましい。このように、反転部を薄肉厚化することで、この部分が反転変形して膨出すること、及び、その状態から反転して凹状に変形して流路２４に入り込むことが容易になり、サックバック効果を高めることが可能となる。
【００４８】
また、前記中栓の圧接部２２の傾斜面２２ａは、流路２４を塞ぐ領域で弁体５０の反転変形部５８が反転して流路２４に入り込んだ際の弁体の形状に沿うように形成しておくことが好ましい。具体的には、図１３（ａ）に示すように、反転変形部５８を形成することによって、反転変形部５８から径方向内側の領域５８ｂは、上方に向けて湾曲するような形状となり、この形状に沿うように、傾斜面２２ａを図１２に示すような形状（図８に示す傾斜角度αよりも大きい角度となる湾曲形状）にすれば良い。
【００４９】
このような弁体の構成、及び、圧接部の構成によれば、収容体に対する押圧力を解除したときの弁体と傾斜面との密着面積が増加する。したがって、微小粒状物が混在している内容物（液）を用いた場合において、それが弁体と傾斜面との間に残っても、柔軟な弾性弁体がそれを覆うような状態となり、当該部分での密閉性が保持される。
【００５０】
なお、図１２及び図１３に示した弁体５０の構成については、図９から図１１に示した弁体構造においても適用することが可能である。
【００５１】
上記した中栓２０に形成される圧接部２２の形状、配設態様、及び、流路２４についても適宜変形することが可能である。例えば、圧接部２２については円筒状に形成し、その流路については、圧接部２２の内部に連通する構成であっても良い。
【００５２】
図１４から図１７は、本発明に係るエアレスキャップ、及び、容器の第２の実施形態を示す図である。
上記した実施形態では、容器として、二重成形タイプのものを例示したが、プラスチック製のフィルムシートを重ねた容器（パウチパック）にも適用することが可能である。具体的には、容器２００は、例えば、図１４に示すような矩形のフィルムシート２０１ａ，２０１ｂを重ね合わせ、斜線で示す部分をヒートバー等によって熱溶着することで形成される。このような容器は、内容物が注出されるにしたがって萎むように柔軟性を有しており、使い切った後は、そのまま廃棄することが可能である。
【００５３】
前記フィルムシート２０１ａ，２０１ｂは、柔軟性を有する合成樹脂製であり、例えば、溶着し易いように、ポリエチレンやポリプロピレンなどによって形成されている。また、その表面側は、注出物に対するバリア性（ガスバリア性および遮光性）を高めるように、ナイロン、アルミホイルなどを積層した、いわゆる複合層で構成されている。このような容器は、下縁部に底壁を溶着して自立体として構成しても良いし、厚さ方向に側壁を溶着してガゼット体として構成しても良い。
【００５４】
このような容器２００に取り付けられるエアレスキャップ１Ａの構成について説明する。
なお、第１実施形態のエアレスキャップと同様な構成、機能を有する部分には、同一の参照符号を付し、その詳細な説明については省略する。
【００５５】
上記した構造の容器２００には、その上端縁に、エアレスキャップ１Ａを固定するための溶着体８０が介在して溶着されており、この溶着体８０には、前記フィルムシート２０１ａ，２０１ｂが溶着されるように、断面略楕円形状の溶着部８１を備えている。また、前記溶着体８０には、上方に向けて突出する円筒状の口部８５が一体形成されており、その口部８５の雄螺子部８５ａにエアレスキャップ１Ａが螺合、固定されるようになっている。
【００５６】
この場合、本実施形態のエアレスキャップ１Ａは、収容体２００が単体構造であるため、第１の実施形態のような吸気弁を形成する必要がなく、構造が簡素化されている。すなわち、エアレスキャップ１Ａの本体１０Ａには、第１の実施形態のような吸気口が形成されておらず、かつ、中栓２０と一体化される弾性変形可能な弁体５０Ａには、第１の実施形態のような吸気弁が形成されていない。
【００５７】
このように、収容体がパウチパックとして構成されていても、本体及び弁体の形状を僅かに変更するだけで良いため、製造コストを低減することが可能となる。
【００５８】
以上、本発明の実施形態について説明したが、本発明は上記した実施形態に限定されることはなく、種々変形することが可能である。
上記したエアレスキャップについては、平板状で弾性変形可能に形成された弁体を中栓と本体との間に介在し、中栓に設けられた傾斜面を有する圧接部に密着させて注出弁が構成されていれば良く、それ以外の構成については適宜変形することが可能である。例えば、本体１０，１０Ａには、注出口を閉塞するためのキャップ（ヒンジ式、スクリュー式など）が別途、装着されていても良い。また、注出口の配設位置を弁体５０の開口部の真上部とせず、位置関係をずらして、例えば、注出内容物を真上の壁面に当ててから注出口に向かうようにすることで、内容物の急な注出を緩和し、注出口から穏やかに流出させることができる。その他、所望により、圧接部の構成、及び流路の形成方法など、種々変形することが可能である。
【００５９】
また、収容体についても、種々変形することが可能であり、例えば、外気流入路の形成方法や、エアレスキャップの装着方法等、適宜変形することが可能である。さらに、上述した実施形態や変形例については、ある実施形態や変形例の構成要素を別の実施形態や変形例の構成要素に置換したり、組み合わせて実施しても良い。
【符号の説明】
【００６０】
１，１Ａ  エアレスキャップ
１０，１０Ａ  本体
１２  吸気口
２０  中栓
２２  圧接部
２２ａ  傾斜面
５０，５０Ａ  弁体
５５  吸気弁
５８  反転部
１００，２００  収容体
【図１】
2020093833.tif 000003
【図２】
2020093833.tif 000004
【図３】
2020093833.tif 000005
【図４】
2020093833.tif 000006
【図５】
2020093833.tif 000007
【図６】
2020093833.tif 000008
【図７】
2020093833.tif 000009
【図８】
2020093833.tif 000010
【図９】
2020093833.tif 000011
【図１０】
2020093833.tif 000012
【図１１】
2020093833.tif 000013
【図１２】
2020093833.tif 000014
【図１３】
2020093833.tif 000015
【図１４】
2020093833.tif 000016
【図１５】
2020093833.tif 000017
【図１６】
2020093833.tif 000018
【図１７】
2020093833.tif 000019